(57)【要約】【課題】建物の開口部近傍に存在している蚊を、室内空気を屋外へ排出する排気口に誘引することで、室内への蚊の侵入を簡易な方法で確実に防止することを目的とする。【解決手段】排気口１は蚊誘引手段２を備えている。排気口１からは在室中の人体から発生した二酸化炭素を多く含む空気を屋外に排出している。排気口１から排出される二酸化炭素と蚊誘引手段２の効果により開口部１０１の近傍に存在している蚊を排気口１に誘引する。室内への蚊の侵入を簡易な方法で確実に防止することができる。【選択図】図１
2006211923.tif 000002
【特許請求の範囲】
【請求項１】
室内の空気を屋外に排出する排気口において、蚊の侵入を防止する蚊侵入防止手段を備えたことを特徴とする排気口。
【請求項２】
室内の空気を屋外に排出する排気口において、排気口に蚊を誘引する蚊誘引手段を備えたことを特徴とする排気口。
【請求項３】
室内の空気を屋外に排出する排気口において、排気口に発熱する発熱手段を備えたことを特徴とする排気口。
【請求項４】
室内の空気を屋外に排出する排気口において、排気口に蚊を誘引する化学物質を発生する化学物質発生手段を備えたことを特徴とする排気口。
【請求項５】
室内の空気を屋外に排出する排気口において、排気口に加湿する加湿手段を備えたことを特徴とする排気口。
【請求項６】
発熱する発熱手段、または蚊を誘引する化学物質を発生する化学物質発生手段、または加湿する加湿手段のいずれかを複数備えたことを特徴とする排気口。
【請求項７】
誘引された蚊を捕獲する捕獲手段を備えたことを特徴とする請求項２〜６のいずれかに記載の排気口。
【請求項８】
誘引された蚊に損傷を与える損傷手段を備えたことを特徴とする請求項２〜６のいずれかに記載の排気口。
【請求項９】
誘引された蚊に対する電撃手段を備えたことを特徴とする請求項２〜６のいずれかに記載の排気口。
【請求項１０】
誘引された蚊に対する破壊手段を備えたことを特徴とする請求項２〜６のいずれかに記載の排気口。
【請求項１１】
誘引された蚊に対する加熱手段を備えたことを特徴とする請求項２〜６のいずれかに記載の排気口。
【請求項１２】
誘引された蚊に対する化学物質噴射手段を備えたことを特徴とする請求項２〜６のいずれかに記載の排気口。
【発明の詳細な説明】
【技術分野】
【０００１】
本発明は、室内空気を屋外へ排出する排気口において、室内への蚊の侵入を防止するために使用される排気口に関する。
【背景技術】
【０００２】
従来、この種の室内への虫の侵入を防止する装置としては、家屋の開口部に向けて面状の気流を吹き出すことにより虫の侵入を防止する装置が知られている（例えば、特許文献１参照）。
【０００３】
以下、その虫の侵入を防止する装置について図１３を参照しながら説明する。
【０００４】
図に示すように、窓のような開口部１０１の一辺に気流を吹き出して開口部１０１を面状に覆うエア吹き出し装置１０２を設けると共に，開口部１０１の屋外側に昆虫を検知するための超音波検知器１０３を配設する。この超音波検知器１０３の検知時にエア吹き出し装置１０２を駆動させるようにする。
【特許文献１】特開昭６２−０４０２３９号公報
【発明の開示】
【発明が解決しようとする課題】
【０００５】
このような従来の虫の侵入を防止する装置では、家屋の開口部を包含する広範囲の領域に面状の気流を生成するために、大風量を広範囲に吹き出すことのできるエア吹き出し装置を設置しなければならず、外壁面への大掛かりな工事等が必要になり、簡易な方法で蚊等の虫の侵入を防止することが要求されている。
【０００６】
本発明は、このような従来の課題を解決するものであり、室内の空気を屋外に排出する目的で家屋の外壁面にすでに装備されている排気口を利用することで、簡易な方法で蚊の侵入を防止することのできる排気口を提供することを目的としている。
【０００７】
また、従来の虫の侵入を防止する装置では、一定風速以上の面状の気流が生成されている範囲においては蚊等の虫の侵入を防止することはできるが、面状の気流により室内への侵入を妨げられた蚊等の虫は、家屋の別の開口部から侵入を試みる可能性があるという課題があり、確実に蚊等の虫の侵入を防止することが要求されている。
【０００８】
本発明は、このような従来の課題を解決するものであり、蚊を排除するのではなく一定の場所に誘引し、さらに誘引された蚊を捕獲すること、または誘引された蚊に損傷を与えることにより、確実に蚊の侵入を防止することのできる排気口を提供することを目的としている。
【課題を解決するための手段】
【０００９】
本発明の排気口は上記目的を達成するために、蚊の侵入を防止する蚊侵入防止手段を備えることにより室内への蚊の侵入を防止できるようにしたものである。
【００１０】
この手段により簡易な方法で蚊の侵入を防止することのできる排気口が得られる。
【００１１】
また、本発明の排気口は上記目的を達成するために、排気口に蚊を誘引する蚊誘引手段を備えることにより室内への蚊の侵入を防止できるようにしたものである。
【００１２】
この手段により簡易な方法で蚊の侵入を防止することのできる排気口が得られる。
【００１３】
また、本発明の排気口は上記目的を達成するために、排気口に発熱する発熱手段を備えることにより室内への蚊の侵入を防止できるようにしたものである。
【００１４】
この手段により簡易な方法で蚊の侵入を防止することのできる排気口が得られる。
【００１５】
また、本発明の排気口は上記目的を達成するために、排気口に蚊を誘引する化学物質を発生する化学物質発生手段を備えることにより室内への蚊の侵入を防止できるようにしたものである。
【００１６】
この手段により簡易な方法で蚊の侵入を防止することのできる排気口が得られる。
【００１７】
また、本発明の排気口は上記目的を達成するために、排気口に加湿する加湿手段を備えることにより室内への蚊の侵入を防止できるようにしたものである。
【００１８】
この手段により簡易な方法で蚊の侵入を防止することのできる排気口が得られる。
【００１９】
また、本発明の排気口は上記目的を達成するために、発熱する発熱手段、または蚊を誘引する化学物質を発生する化学物質発生手段、または加湿する加湿手段のいずれかを複数備えることにより室内への蚊の侵入を防止できるようにしたものである。
【００２０】
この手段により簡易な方法で蚊の侵入を防止することのできる排気口が得られる。
【００２１】
また、本発明の排気口は上記目的を達成するために、誘引された蚊を捕獲する捕獲手段を備えることにより室内への蚊の侵入を防止できるようにしたものである。
【００２２】
この手段により確実に蚊の侵入を防止することのできる排気口が得られる。
【００２３】
また、本発明の排気口は上記目的を達成するために、誘引された蚊に損傷を与える損傷手段を備えることにより室内への蚊の侵入を防止できるようにしたものである。
【００２４】
この手段により確実に蚊の侵入を防止することのできる排気口が得られる。
【００２５】
また、本発明の排気口は上記目的を達成するために、誘引された蚊に対する電撃手段を備えることにより室内への蚊の侵入を防止できるようにしたものである。
【００２６】
この手段により確実に蚊の侵入を防止することのできる排気口が得られる。
【００２７】
また、本発明の排気口は上記目的を達成するために、誘引された蚊に対する破壊手段を備えることにより室内への蚊の侵入を防止できるようにしたものである。
【００２８】
この手段により確実に蚊の侵入を防止することのできる排気口が得られる。
【００２９】
また、本発明の排気口は上記目的を達成するために、誘引された蚊に対する加熱手段を備えることにより室内への蚊の侵入を防止できるようにしたものである。
【００３０】
この手段により確実に蚊の侵入を防止することのできる排気口が得られる。
【００３１】
また、本発明の排気口は上記目的を達成するために、誘引された蚊に対する化学物質噴射手段を備えることにより室内への蚊の侵入を防止できるようにしたものである。
【００３２】
この手段により確実に蚊の侵入を防止することのできる排気口が得られる。
【発明の効果】
【００３３】
本発明によれば簡易な方法で室内への蚊の侵入を防止できる効果のある排気口を提供できる。
【００３４】
また、確実に室内への蚊の侵入を防止できる効果のある排気口を提供することができる。
【発明を実施するための最良の形態】
【００３５】
本発明の請求項１記載の発明は、室内の空気を屋外に排出する排気口において、排気口に蚊の侵入を防止する蚊侵入防止手段である蚊を誘引する蚊誘引手段を備えることにより室内への蚊の侵入を防止することのできる排気口としたものであり、排気口から発生する二酸化炭素と蚊誘引手段の効果により、家屋の開口部付近において室外から室内へ侵入しようとしている蚊を排気口に誘引することで、開口部から室内へ蚊が侵入しなくなるという作用を有する。
【００３６】
また、室内の空気を屋外に排出する排気口において、排気口に発熱する発熱手段を備えることにより室内への蚊の侵入を防止することのできる排気口としたものであり、排気口から発生する二酸化炭素と発熱手段の発熱効果により、家屋の開口部付近において室外から室内へ侵入しようとしている蚊を排気口に誘引することで、開口部から室内へ蚊が侵入しなくなるという作用を有する。
【００３７】
また、室内の空気を屋外に排出する排気口において、排気口に蚊を誘引する化学物質を発生させる化学物質発生手段を備えることにより室内への蚊の侵入を防止することのできる排気口としたものであり、排気口から発生する二酸化炭素と化学物質発生手段により発生した蚊を誘引する化学物質の効果により、家屋の開口部付近において室外から室内へ侵入しようとしている蚊を排気口に誘引することで、開口部から室内へ蚊が侵入しなくなるという作用を有する。
【００３８】
また、室内の空気を屋外に排出する排気口において、排気口に加湿手段を備えることにより室内への蚊の侵入を防止することのできる排気口としたものであり、排気口から発生する二酸化炭素と加湿手段の加湿効果により、家屋の開口部付近において室外から室内へ侵入しようとしている蚊を排気口に誘引することで、開口部から室内へ蚊が侵入しなくなるという作用を有する。
【００３９】
また、誘引された蚊を捕獲する手段を備えることにより室内への蚊の侵入を防止することのできる排気口としたものであり、家屋の開口部付近において室外から室内へ侵入しようとしている蚊を排気口に誘引して捕獲することで、開口部から室内へ蚊が侵入しなくなるという作用を有する。
【００４０】
また、誘引された蚊に損傷を与える損傷手段を備えることにより室内への蚊の侵入を防止することのできる排気口としたものであり、家屋の開口部付近において室外から室内へ侵入しようとしている蚊を排気口に誘引して損傷を与えることで、開口部から室内へ蚊が侵入しなくなるという作用を有する。
【００４１】
また、誘引された蚊に対する電撃手段を備えることにより室内への蚊の侵入を防止することのできる排気口としたものであり、家屋の開口部付近において室外から室内へ侵入しようとしている蚊を排気口に誘引して電気的な衝撃により損傷を与えることで、開口部から室内へ蚊が侵入しなくなるという作用を有する。
【００４２】
また、誘引された蚊に対する破壊手段を備えることにより室内への蚊の侵入を防止することのできる排気口としたものであり、家屋の開口部付近において室外から室内へ侵入しようとしている蚊を排気口に誘引して破壊することで、開口部から室内へ蚊が侵入しなくなるという作用を有する。
【００４３】
また、誘引された蚊に対する加熱手段を備えることにより室内への蚊の侵入を防止することのできる排気口としたものであり、家屋の開口部付近において室外から室内へ侵入しようとしている蚊を排気口に誘引して加熱することで、開口部から室内へ蚊が侵入しなくなるという作用を有する。
【００４４】
また、誘引された蚊に対する化学物質噴射手段を備えることにより室内への蚊の侵入を防止することのできる排気口としたものであり、家屋の開口部付近において室外から室内へ侵入しようとしている蚊を排気口に誘引し化学物質を噴射することで、開口部から室内へ蚊が侵入しなくなるという作用を有する。
【００４５】
以下、本発明の実施の形態について図面を参照しながら説明する。
【００４６】
（実施の形態１）
図１に示すように、排気口１は蚊誘引手段２を備えている。排気口１は室内の天井に設置された換気装置３にダクト４により接続されているので、換気装置４を運転することで、室内に人間が在室している場合に、人間が呼吸にともなって発生する二酸化炭素を屋外に排出することができる。人間の血液を吸血することで問題とされる蚊の習性として、人間が呼吸にともなって排出する二酸化炭素に誘引される性質がある。本発明で対象としている蚊は前述したように人間の血液を吸血する蚊であり、日本国内ではヒトスジシマカ、アカイエカ、チカイエカ、オオクロヤブカなどが挙げられる。またそれ以外の種類であっても、同様の特性で人間の存在を検知して吸血する蚊であれば、本発明による防除効果を得ることができる。一方、日本国内には、それ以外にも多くの種類の蚊が存在しているが、ユスリカなど人間の血液を吸血することのない蚊に関しては、本発明による防除対象としては考えていない。これ以降、本明細書においては、人間の血液を吸血する蚊の事を、単に「蚊」として表現することにする。
【００４７】
また、同様に前述した蚊の習性として、二酸化炭素の濃度分布以外にも様々な情報に基づいて、吸血対象である人間の存在を認識することが明らかにされている。その情報としては、人間の体温であったり、人間の皮膚表面から発生している微量な化学物質であったり、人間から発生している水蒸気にともなう局所的な湿度変化などが考えられている。
【００４８】
屋外で発生した蚊は、家屋の開口部１０１から僅かに漏れてくる二酸化炭素や微量な化学物質などを感知して、開口部１０１の周辺に飛翔していることや、開口部１０１の近傍に降着していることがある。そのような状態で、人間の出入りに伴い開口部１０１が開放された場合、屋外から室内へ蚊が侵入して室内で蚊に吸血されることがある。
【００４９】
図２に示すように、排気口１は円形の形状を有しており、蚊の侵入を防止する蚊の侵入防止手段としての蚊を誘引する蚊誘引手段２は、排気口１の中心部に設けられている。蚊誘引手段２は前述した蚊の特性を利用するために、蚊に対してあたかもそこに人間がいるかのように感じさせるための手段であり、人の体温である３５℃〜３７℃程度に排気口の中心部等排気口の一部あるいは全体を加熱し発熱させるヒータ等の発熱手段、人から発生する水蒸気の量と同程度の水蒸気を発生する水供給装置と加熱装置等で構成される加湿手段、人から発生する化学物質を発生する化学物質発生手段など、蚊が人間の存在を認識するために利用する情報、または人間の存在を認識するために利用する物質の発生を再現できる手段であればよい。排気口１から排出される二酸化炭素と蚊誘引手段２の効果により、開口部１０１の近傍で飛翔している蚊や降着している蚊は排気口１に誘引されることになる。したがって、室内から屋外への出入りの際に開口部１０１を開放した場合において、屋外から室内へ蚊が侵入するのを防止することができる。排気口１から排出される二酸化炭素だけでも蚊を誘引する効果はあるが、蚊誘引手段２を設けることで効果的に蚊を誘引することができる。蚊誘引手段２の具体的な構成に関しては以降の実施の形態で詳細を説明する。
【００５０】
本実施の形態においては、換気装置３と排気口１はダクト４で接続されていることとしたが、この形態に限ったものではなく、室内の空気を屋外に排出する機能を有した排気口であれば同様の効果を得ることができる。また、排気口１は開口部１０１の上部に設置された構造であるとしたが、この配置に限ったものではなく、開口部１０１の近傍に設置された排気口であれば、開口部１０１の横などに排気口１があったとしても開口部１０１の周辺に存在する蚊に対して誘引効果を示すことができる。
【００５１】
また、本実施の形態では図２に示すように蚊誘引手段２を排気口１の中央部に設置するものとしたが、その構造に限ったものではなく、排気口１から排出される二酸化炭素による誘引効果と蚊誘引手段２による誘引効果が集約されている状態であれば、開口部１０１の周辺に存在する蚊に対して誘引効果を示すことができる。
【００５２】
また、本実施の形態では図１に示すように換気装置３と排気口１はダクト４で接続されているので、排気口１に誘引された蚊がダクト４と換気装置３を経由して室内に侵入する可能性を懸念するが、換気装置３が運転中の場合はダクト４内には屋外方向への気流が発生しているので、その気流に対向して蚊が室内に侵入することはない。また、ダクト４と排気口１の接続部に蚊の大きさよりも小さい開口部を有する網状の部材を挟み込むことで、蚊の室内への侵入を防止することができる。
【００５３】
また、本実施の形態では図２に示すように排気口１の形状は円形の開口部を有する構造であるとしたが、その構造に限ったものではなく、室内の空気を屋外に排出するための機能を有しており、蚊誘引手段２を近傍に設置することができれば、長方形などの別の形状であっても同様の効果を得ることができる。
【００５４】
（実施の形態２）
図３に示すように、排気口１は発熱手段５を備えている。排気口１は実施の形態１と同様に室内の空気を屋外に排出するために、家屋の外壁に装着されているものとする。蚊は人間を感知するために空間内での局所的な温度上昇を認識しているとされている。本実施の形態２で示す発熱手段５はその表面温度が人間の体表面とほぼ同等の温度となるように発熱しており、排気口１から排出される二酸化炭素と発熱手段５による局所的な温度上昇により、蚊を誘引できるものである。本実施の形態では図３に示すように発熱手段５を排気口１の中央部に設置するものとしたが、その構造に限ったものではなく、排気口１から排出される二酸化炭素による誘引効果と発熱手段５の局所的な温度上昇による誘引効果が集約されている状態であれば、開口部１０１の周辺に存在する蚊に対して誘引効果を示すことができる。また、本実施の形態では発熱手段５の動作原理を示さなかったが、電気ヒータなどの電気的な発熱手段を用いれば、発熱手段の表面温度を容易に制御することができる。なお、蚊が認識している人間の体表面とほぼ同等の３５℃〜３７℃の温度を再現できる手段であれば、触媒を活用した発熱手段など電気的な発熱手段以外の方法を用いても同様の効果を得ることができる。なお、蚊が認識している人間の体表面の温度は３５℃〜３７℃であるとしたが、排気口１の周囲温度との温度差により、有意に蚊の誘引効果を示す温度であれば３５℃以下の温度であっても同様の効果を得ることができる。
【００５５】
（実施の形態３）
図４に示すように、排気口１は化学物質発生手段６を備えている。化学物質発生手段６の周囲に備えられたノズルから化学物質が発生するものである。排気口１は実施の形態１と同様に室内の空気を屋外に排出するために、家屋の外壁に装着されているものとする。蚊は人間を感知するために二酸化炭素以外にも人間から発生している様々な化学物質を認識している。例えば、蚊に対する誘引効果を示すものとしてはリシン、アラニン、乳酸などの化学物質が特定されている。本実施の形態では、化学物質発生手段６から前記の化学物質を発生することにより、蚊を誘引できるものとする。化学物質の発生方法としては、水溶液を噴霧する方法、水溶液を加熱して蒸散させる方法などが考えられるが、人間から発生している状態を再現できるように雰囲気空気中の濃度をコントロールできる方法が適している。本実施の形態では、図４に示すように化学物質発生手段６を排気口１の中央部に設置するものとしたが、その構造に限ったものではなく、排気口１から排出される二酸化炭素による誘引効果と化学物質発生手段６による誘引効果が集約されている状態であれば、開口部１０１の周辺に存在する蚊に対して誘引効果を示すことができる。本実施の形態では、蚊に対する誘引効果を示す物質として前記３種類の化学物質を示したが、それ以外の化学物質であっても蚊に対する誘引効果を示す物質であれば、同様の効果を得ることができる。また、発生させる化学物質の種類は前記３種類の化学物質のいずれか１種類に限ったものではなく、複数の化学物質を組合せて発生するようにしてもよく、人間から化学物質が発生している状態を再現できるような方法であれば同様な効果を得ることができる。
【００５６】
（実施の形態４）
図５に示すように、排気口１は加湿手段７を備えている。加湿手段７は水を電気ヒータ等で加熱して水蒸気として発生する手段である。加湿手段７には連続的に水が供給されるものとする。排気口１は実施の形態１と同様に室内の空気を屋外に排出するために、家屋の外壁に装着されているものとする。蚊は人間を感知するために二酸化炭素以外にも人間から発生している水蒸気を認識しているとされている。本実施の形態では、加湿手段７から水蒸気を発生することにより、蚊を誘引できるものとする。水蒸気の発生方法としては、水を加熱して蒸発させる方法、微細な水滴を噴霧する方法などが考えられるが、人間から発生している状態を再現できるように湿度をコントロールできる方法が適している。本実施の形態では、図５に示すように加湿手段７を排気口１の中央部に設置するものとしたが、その構造に限ったものではなく、排気口１から排出される二酸化炭素による誘引効果と加湿手段７による誘引効果が集約されている状態であれば、開口部１０１の周辺に存在する蚊に対して誘引効果を示すことができる。本実施の形態では加湿手段７への加湿水の供給方法を明記しなかったが、加湿手段７に加湿水を供給するための給水タンクを別の場所に設置するなどの方法が考えられる。人間から発生している状態を再現できるような加湿能力を実現できるのであれば、他の加湿手段を用いても同様の効果を得ることができる。
【００５７】
（実施の形態５）
図６に示すように、排気口１は複数の蚊誘引手段として発熱手段５と化学物質発生手段６を備えている。排気口１は実施の形態１と同様に室内の空気を屋外に排出するために、家屋の外壁に装着されているものとする。前述したように、蚊は二酸化炭素の濃度分布以外にも様々な情報に基づいて吸血対象である人間の存在を認識しているので、排気口１に複数の蚊誘引手段を備えることで、蚊の誘引効果をさらに高めることができる。本実施の形態では複数の蚊誘引手段として発熱手段５と化学物質発生手段６の組合せを示したが、この組合せに限ったものではなく、複数の手段の組合せにより蚊の誘引効果を高めることができる組合せであれば同様の効果を得ることができる。
【００５８】
（実施の形態６）
図７に示すように、排気口１には蚊誘引手段２と捕獲手段８を備えている。排気口１は実施の形態１と同様に室内の空気を屋外に排出するために、家屋の外壁に装着されているものとする。捕獲手段８は粘着性の表面を有するシート状部材であり、蚊誘引手段２に誘引されて排気口１に近づき捕獲手段８に降着した蚊を捕獲することができる。捕獲手段８に捕獲された蚊は再飛翔することができなくなり、もはや吸血することも産卵することもできなくなるので、将来的な蚊の吸血被害も減らすことができる。本実施の形態では捕獲手段８は粘着性の表面を有するシート状部材であるとしたが、その方法に限ったものではなく、誘引されてきた蚊を捕獲することで、再飛翔を妨げる機能を有する方法であれば同様な効果を得ることができる。本実施の形態では蚊誘引手段２について詳細は説明しなかったが、実施の形態１から５に記載されている内容の手段であれば、同様の効果を得ることができる。
【００５９】
（実施の形態７）
図８に示すように、排気口１には蚊誘引手段２と損傷手段９を備えている。排気口１は実施の形態１と同様に室内の空気を屋外に排出するために、家屋の外壁に装着されているものとする。損傷手段９の構成については実施の形態８以降で説明するが、蚊誘引手段２に誘引されて排気口１に近づいた蚊に対して損傷を与える手段であり、蚊が飛翔できなくなるような損傷、蚊が吸血できなくなるような損傷、または産卵することができなくなるような損傷を与える手段であれば良い。本実施の形態では蚊誘引手段２について詳細は説明しなかったが、実施の形態１から５に記載されている内容の手段であれば、同様の効果を得ることができる。吸血する蚊の生態として、吸血をしなければ産卵することができないので、確実に吸血できなくなるような損傷を与える手段であれば、人の吸血被害を減らすとともに、将来発生する蚊を減らすこともできる。そのような損傷手段としては、降着した蚊の足を破壊する手段などが考えられる。蚊の足が損傷を受ければ、吸血対象に降着することも、産卵のために水面に降着することもできなくなるので、吸血被害を減らし、将来発生する蚊を減らすこともできる。
【００６０】
（実施の形態８）
図９に示すように、排気口１には蚊誘引手段２と電撃手段１０を備えている。排気口１は実施の形態１と同様に室内の空気を屋外に排出するために、家屋の外壁に装着されているものとする。電撃手段１０は蚊誘引手段により誘引された蚊が降着した際に、高電圧が印加される構造になっており、電気的な衝撃により蚊が飛翔できなくなる効果がある。具体的には、平面状で数ｍｍの間隔を有し対向する電極間に数百Ｖから数十ｋＶの高電圧を印加することで、電極間に降着して対向する電極に接触した蚊が電気的な衝撃を受けることになる。電圧の大小によって蚊の損傷度は異なってくるが、２ｋＶ以上の高電圧であれば蚊に対して再飛翔不可能なほどの衝撃を与えることができる。本実施の形態では蚊誘引手段２について詳細は説明しなかったが、実施の形態１から５に記載されている内容の手段であれば、同様の効果を得ることができる。
【００６１】
また、本実施の形態では電撃手段１０の構造を平面状の電極であるとしたが、この方法に限ったものではなく、２層の網状の電極を配置して、網状の電極間に蚊が接触した場合に電撃を受ける構造にしても同様の効果を得ることができる。
【００６２】
（実施の形態９）
図１０に示すように、排気口１には蚊誘引手段２と破壊手段１１を備えている。排気口１は実施の形態１と同様に室内の空気を屋外に排出するために、家屋の外壁に装着されているものとする。破壊手段１１は蚊誘引手段により誘引された蚊が降着した際に、物理的な衝撃を与える構造になっており、蚊はそこで受けた物理的な衝撃により再飛翔できなくなる効果がある。具体的には、破壊手段１１は固定部１２と回転部１３で構成されており、固定部１２は網状の表面構造をしており、蚊が降着しやすくなっている。また回転部１３は固定部１２の表面で回転する構造を有しており、棒状の回転部１３と固定部１２の表面はほぼ密着している。蚊誘引手段２の効果により誘引されて、網状の固定部１２に降着した蚊は、棒状の回転部１３で打撃されることにより物理的な衝撃を受けて再飛翔できなくなる。本実施の形態では蚊誘引手段２について詳細は説明しなかったが、実施の形態１から５に記載されている内容の手段であれば、同様の効果を得ることができる。また、破壊手段の構造は、本実施の形態で示した固定部と回転部で構成される構造に限ったものではなく、再飛翔不可能な程度の物理的な衝撃を与えることができる手段であれば、逆方向に回転する平面網状の回転部を２枚有する破壊手段でも同様の効果を得ることができる。
【００６３】
（実施の形態１０）
図１１に示すように、排気口１には蚊誘引手段２と加熱手段１４を備えている。加熱手段は電気ヒータ等により、蚊が再飛翔不可能なほどの損傷を受ける温度を発生できるものである。具体的には蚊の虫体を構成する成分が非可逆的に化学変化するような温度を発生できればよい。排気口１は実施の形態１と同様に室内の空気を屋外に排出するために、家屋の外壁に装着されているものとする。加熱手段１４は蚊誘引手段２により誘引された蚊が降着した際に、熱的な損傷を与える構造になっており、蚊の受けた熱的な損傷により再飛翔できなくなる効果がある。具体的には蚊が加熱手段１４に降着したことを検知して、自動的に加熱手段１４に通電されるので加熱手段１４が瞬時に発熱することで熱的な損傷を与えることができる。本実施の形態では蚊誘引手段２について詳細は説明しなかったが、実施の形態１から５に記載されている内容の手段であれば、同様の効果を得ることができる。
【００６４】
（実施の形態１１）
図１２に示すように、排気口１には蚊誘引手段２と化学物質噴射手段１５を備えている。化学物質噴射手段１５はノズルから蚊に対して損傷を与える化学物質を噴射できる構造である。排気口１は実施の形態１と同様に室内の空気を屋外に排出するために、家屋の外壁に装着されているものとする。化学物質噴射手段１５は蚊誘引手段２により誘引された蚊が降着した際に、化学物質を噴射する構造になっている。具体的な化学物質とは殺虫剤として使用されるピレスロイド系の化合物や有機リン系の化合物などが考えられる。殺虫剤を噴射された蚊は神経系に障害を受けて正常な活動を持続することができなくなる。本実施の形態では化学物質噴射手段１５は排気口の外周部から中央部に向かって化学物質を噴射する構造としたが、この構造に限ったものではなく、蚊誘引手段２によって誘引された蚊に対して効率良く化学物質を曝露できる方法であれば、同様な効果を得ることができる。本実施の形態では蚊誘引手段２について詳細は説明しなかったが、実施の形態１から５に記載されている内容の手段であれば、同様の効果を得ることができる。本実施の形態では化学物質噴射手段１５の動作タイミングについて詳細は説明しなかったが、蚊の降着を検知して化学物質を噴射する構造にすれば、化学物質を無駄なく使用することができる。なお、化学物質としては上記の殺虫剤を示したが、これに限ったものではなく、蚊に対して損傷を与える化学物質であれば酸やアルカリなどの化学物質や有機溶剤または植物の精油などでも同様の効果を得ることができる。
【産業上の利用可能性】
【００６５】
本発明の排気口を家屋の開口部の近傍に設置することで、屋外から室内への蚊の侵入を簡易な方法で確実に防止することができる。
【図面の簡単な説明】
【００６６】
【図１】本発明の実施の形態１の排気口の設置状態を示す図
【図２】本発明の実施の形態１の排気口の構造を示す図
【図３】本発明の実施の形態２の排気口の構造を示す図
【図４】本発明の実施の形態３の排気口の構造を示す図
【図５】本発明の実施の形態４の排気口の構造を示す図
【図６】本発明の実施の形態５の排気口の構造を示す図
【図７】本発明の実施の形態６の排気口の構造を示す図
【図８】本発明の実施の形態７の排気口の構造を示す図
【図９】本発明の実施の形態８の排気口の構造を示す図
【図１０】本発明の実施の形態９の排気口の構造を示す図
【図１１】本発明の実施の形態１０の排気口の構造を示す図
【図１２】本発明の実施の形態１１の排気口の構造を示す図
【図１３】従来の虫の侵入を防止する装置を示す図
【符号の説明】
【００６７】
１    排気口
２    蚊誘引手段
５    発熱手段
６    化学物質発生手段
７    加湿手段
８    捕獲手段
９    損傷手段
１０  電撃手段
１１  破壊手段
１４  加熱手段
１５  化学物質噴射手段
【図１】
2006211923.tif 000003
【図２】
2006211923.tif 000004
【図３】
2006211923.tif 000005
【図４】
2006211923.tif 000006
【図５】
2006211923.tif 000007
【図６】
2006211923.tif 000008
【図７】
2006211923.tif 000009
【図８】
2006211923.tif 000010
【図９】
2006211923.tif 000011
【図１０】
2006211923.tif 000012
【図１１】
2006211923.tif 000013
【図１２】
2006211923.tif 000014
【図１３】
2006211923.tif 000015